(57)【要約】      （修正有）【課題】屋外の握り棒が濡れず、握り棒を暖めることができ、手摺りとしての役目が最大限発揮され、しかも、遠く電源を引く必要がなく、大掛かりでない防雨防寒手摺りを提供する。【解決手段】手摺り本体である握り棒１の長手方向の複数箇所で下部に設けられる支持部材３が、握り棒１の上方を覆う屋根状部材５を支持する。この屋根状部材５の上面にソーラーパネル１１が設けられる。このソーラーパネル１１が発生する電力により、遠赤外線パネル１３が機能する。この遠赤外線パネル１３は屋根状部材５の下面に設けられ、握り棒１を暖める。【選択図】図１
2008008143.tif 000002
【特許請求の範囲】
【請求項１】
屋外に設置される手摺りであって、手摺り本体である握り棒と、この握り棒の長手方向の複数箇所で下部に設けられる支持部材と、これらの支持部材によって支持され前記握り棒の上方を覆う屋根状部材と、この屋根状部材の上面に設けられるソーラーパネルと、このソーラーパネルが発生する電力により機能し前記屋根状部材の下面に設けられて前記握り棒を暖める遠赤外線パネルと、を有することを特徴とする防雨防寒手摺り。
【請求項２】
屋外に設置される手摺りであって、手摺り本体である握り棒と、この握り棒の長手方向の複数箇所で下部に設けられる支持部材と、これらの支持部材によって支持され前記握り棒の上方を覆う屋根状部材と、この屋根状部材の上面に設けられるソーラーパネルと、このソーラーパネルが発生する電力により機能し前記握り棒に設けられて前記握り棒を暖めるヒーターと、を有することを特徴とする防雨防寒手摺り。
【請求項３】
前記ソーラーパネルが発生する電力を蓄電する蓄電池と、前記握り棒の温度を検知する温度センサーと、この検知された温度が一定以下になったときに前記蓄電池の電力で前記遠赤外線パネルまたは前記ヒーターを機能させるコントローラーと、を有することを特徴とする請求１または２に記載の防雨防寒手摺り。
【発明の詳細な説明】
【技術分野】
【０００１】
この発明は、例えば、病院や老人介護施設などの公共施設の建物、あるいはその付帯設備、さらには住宅等の近くで、屋外に位置するアプローチ通路や階段等に設置する手摺りに関する。
【背景技術】
【０００２】
従来のこの種の手摺りは、屋外に設けられる場合、ほとんどステンレス,アルミといった金属製であるため、冬や晩秋、早春など気温の低い時期、さらには雨、雪、霜、露、などの悪天候時には、ひんやりと冷たく、あるいは濡れ、さらには凍り付いていた。
そして、屋外の歩行時などに手摺りを必要とする者は、老人や疾病者など、体が弱く、冷たさや寒さに弱い方々が多い。そのような方々にとっては、屋外の手摺りは、非常に持ち辛いものであった。
【０００３】
このため、屋外の手摺りは、その役目を最大限発揮しているとは、いえないものであった。
下記の特許文献１、２には、手摺りの内部にヒーターを設け、手摺りを暖める技術が開示される。
また、下記の特許文献３には、屋外のエスカレーターに屋根を設けたものが開示される。
【特許文献１】特開平  ０８−２０９８８３
【特許文献２】特開平  １１−２４４２０２
【特許文献３】実用新案登録  ３０５３９９２
【発明の開示】
【発明が解決しようとする課題】
【０００４】
しかしながら、上記の特許文献１、２の技術は、ヒーターに電源が必要であり、屋外の手摺りに、遠く電源を引くのはコストがかかり、現実的ではない。
また、特許文献３は、エスカレーターを覆う大掛かりな屋根が必要となってしまう。
そこでこの発明は、屋外の握り棒が濡れず、握り棒を暖めることができ、よって手摺りとしての役目が最大限発揮され、しかも、遠く電源を引く必要がなく、大掛かりでない防雨防寒手摺りを提供する事を目的とする。
【課題を解決するための手段】
【０００５】
以上の課題を解決するために、第一発明は、屋外に設置される手摺りであって、手摺り本体である握り棒と、この握り棒の長手方向の複数箇所で下部に設けられる支持部材と、これらの支持部材によって支持され前記握り棒の上方を覆う屋根状部材と、この屋根状部材の上面に設けられるソーラーパネルと、このソーラーパネルが発生する電力により機能し前記屋根状部材の下面に設けられて前記握り棒を暖める遠赤外線パネルと、を有することを特徴とする防雨防寒手摺りである。
【０００６】
第二発明は、屋外に設置される手摺りであって、手摺り本体である握り棒と、この握り棒の長手方向の複数箇所で下部に設けられる支持部材と、これらの支持部材によって支持され前記握り棒の上方を覆う屋根状部材と、この屋根状部材の上面に設けられるソーラーパネルと、このソーラーパネルが発生する電力により機能し前記握り棒に設けられて前記握り棒を暖めるヒーターと、を有することを特徴とする防雨防寒手摺りである。
【０００７】
第三発明は、さらに、前記ソーラーパネルが発生する電力を蓄電する蓄電池と、前記握り棒の温度を検知する温度センサーと、この検知された温度が一定以下になったときに前記蓄電池の電力で前記遠赤外線パネルまたは前記ヒーターを機能させるコントローラーと、を有することを特徴とする防雨防寒手摺りである。
【発明の効果】
【０００８】
第一発明によれば、握り棒自体に取り付けられる屋根状部材が、握り棒を雨、雪から防ぐ。また、屋根状部材があることで、霜や露もほぼ防げる。さらに、この屋根状部材の上面に設けられるソーラーパネルが発生する電力により、屋根状部材の下面に設けられている遠赤外線パネルが機能し、握り棒を暖める。よって、手摺りとしての役目が最大限発揮されうる。しかも、ソーラーパネルが電力を発生するので、遠く電源を引く必要がない。また、握り棒自体に取り付けられ握り棒の上方のみを覆う屋根状部材で済むので、大掛かりでなく、コストを低減できる。
【０００９】
第二発明によれば、握り棒自体に取り付けられる屋根状部材が、握り棒を雨、雪から防げる。また、屋根状部材があることで、霜や露もほぼ防げる。さらに、この屋根状部材の上面に設けられるソーラーパネルが発生する電力により、握り棒に設けられて握り棒を暖めるヒーターとが機能し、握り棒を暖める。よって、手摺りとしての役目が最大限発揮されうる。しかも、ソーラーパネルが電力を発生するので、遠く電源を引く必要がない。また、握り棒自体に取り付けられ握り棒の上方のみを覆う屋根状部材で済むので、大掛かりでなく、コストを低減できる。
第三発明によれば、さらに、ソーラーパネルが発生する電力を蓄電し、握り棒の温度が一定以下になったときに遠赤外線パネルまたはヒーターを機能させ握り棒を暖めることができ、電力不足を抑止できる。
【発明を実施するための最良の形態】
【００１０】
この発明の実施形態を、図１に示す。この図は、屋外に設置される手摺りの縦断面を示す。
手摺り本体である握り棒１を屋外に設置する構造は、従来の色々のものを採用できる。例えば、握り棒１の両端をＬ字状に下方へ屈曲し、屈曲した端部を、コンクリート基礎に固める構造とできる。
【００１１】
このようにして設置された握り棒１の長手方向の複数箇所で、握り棒１の下部に支持部材３が設けられる。この支持部材３はＪ字状に屈曲して上方へ伸びる。これら複数の支持部材３によって、屋根状部材５が支持される。この屋根状部材５は、握り棒１に沿って、握り棒１の上方を覆う。屋根状部材５の幅は、握り棒１を覆うに十分で最小限の寸法とし、通常は握り棒１の幅の数倍である。屋根状部材５と握り棒１との間の空間の寸法は、人が余り注意しなくても手を入れやすいように、十分なものとし、通常は握り棒１の幅の数倍である。Ｊ字状に屈曲した支持部材３の垂直部７は、屋根部材に連続する側壁９を支える。
【００１２】
屋根状部材５の上面には、ソーラーパネル１１が貼り付けられて設けられる。図示しないものの、このソーラーパネル１１が発生する電力を蓄えられる蓄電池を有し、握り棒１の温度状況に応じ、あるいは一日の必要な時間帯に応じて、電力を使用することが出来る。また、そのための図示しない温度センサーやコントローラーも備える。
【００１３】
屋根状部材５の下面及び側壁９には、遠赤外線パネル１３が貼り付けられて設けられる。遠赤外線パネル１３は、ソーラーパネル１１が発生する電力を利用し、上述したように、一日の必要な時間帯に機能し、下方に位置する握り棒１を暖める。
また、屋根状部材５の下面または側壁９には、図示しないものの、夜間に点灯する照明器具が設けられ、ソーラーパネル１１が発生する電力を利用して機能する。
ソーラーパネル１１、蓄電池、温度センサー、コントローラー、遠赤外線、及びパネル照明器具などを接続する配線コード類は、図中省略する。
【００１４】
「実施形態の効果」
この実施形態によれば、握り棒１自体に取り付けられる屋根状部材５が、握り棒１を、上空から降る雨や雪から防ぐ。また、屋根状部材５があることで、握り棒１からの放射冷却を妨げ、あるいは握り棒１付近の空気の滞留を促進し、よってその空気の冷却を妨げ、これらにより霜や露もほぼ防げる。
【００１５】
さらに、この屋根状部材５の上面に設けられるソーラーパネル１１が発生する電力により、屋根状部材５の下面に設けられている遠赤外線パネル１３が機能し、遠赤外線を握り棒１へ放射し、握り棒１を暖める。この機能は、握り棒１の温度が低くなったときだけ、あるいは一日の必要な時間帯に、機能させうる。
しかも、ソーラーパネル１１が電力を発生するので、近くの建物から電源コードを配線し遠く電源を引くなどの必要がない。また、屋根状部材５は、握り棒１自体に取り付けられ握り棒１の上方のみを覆う小さなサイズで済むので、大掛かりでなく、コストを低減できる。
【００１６】
「他の実施形態」
図１の実施形態では、握り棒１を暖めるのに遠赤外線パネル１３が用いられたが、他の実施形態では、ヒーターを用いることができる。このヒーターは、握り棒１の内部に設けてもよいし、握り棒１の表面に被覆材を設け、その被覆材の下に設けてもよい。
【図面の簡単な説明】
【００１７】
【図１】この発明の一実施形態を示す手摺りの縦断面である。
【符号の説明】
【００１８】
１…棒、３…支持部材、５…屋根状部材、７…垂直部、９…側壁、１１…ソーラーパネル、１３…遠赤外線パネル。
【図１】
2008008143.tif 000003